【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
正極、負極、および前記正極と前記負極との間に介在されるセパレータを備える二次電池であって、
前記セパレータは、厚み方向に対して垂直な面方向の透気抵抗度Ｒｐが１００秒以下であって、厚み方向の透気抵抗度Ｒｔが前記面方向の透気抵抗度Ｒｐよりも高く、
多孔質樹脂からなる層と、
導電性材料で構成され、厚み方向に対して垂直な面方向の透気抵抗度Ｒｐが１００秒未満である拡散層と、
が積層された少なくとも２層以上の多層構造を有し、
前記拡散層と、前記負極とを、電気的に接続可能な機構が備えられている、
二次電池。
【請求項２】
前記正極、前記負極および前記セパレータを収容するとともに、正極外部端子、負極外部端子およびセパレータ外部端子が設けられた電池ケースを備え、
前記拡散層は導電性部材により前記セパレータ外部端子と電気的に接続されている、請求項１に記載の二次電池。
【請求項３】
正極、負極、および前記正極と前記負極との間に介在されるセパレータを備えるセルを含む二次電池であって、
前記セパレータは、厚み方向に対して垂直な面方向の透気抵抗度Ｒｐが１００秒以下であって、厚み方向の透気抵抗度Ｒｔが前記面方向の透気抵抗度Ｒｐよりも高く、
前記正極の電位が、当該電池に混入が予想される金属異物の酸化電位以上、かつ、前記負極の電位が、当該電池に混入が予想される金属異物の還元電位以上となる充電状態で、前記セルの容量の０．０１％〜０．５％まで１時間以上かけて充電し、該充電状態を維持する微小充電が施されている、
二次電池。
【請求項４】
前記セパレータは、
多孔質樹脂からなる層と、
厚み方向に対して垂直な面方向の透気抵抗度Ｒｐが１００秒未満である拡散層と、が積層された少なくとも２層以上の多層構造を有し、
前記拡散層は、金属材料、導電性ガラス材料、導電性高分子材料、導電性酸化物材料、導電性炭素材料からなる群から選択される少なくとも１種の導電性材料から構成されている、請求項３に記載の二次電池。
【請求項５】
前記拡散層は、多孔質金属シート、ＳＵＳ焼結フィルター、金網からなる群から選択される少なくとも１つから構成されている、請求項４に記載の二次電池。
【請求項６】
正極と、負極と、前記正極と前記負極との間に介在されるセパレータとを備える二次電池の製造方法であって、
正極と、
負極と、
厚み方向に対して垂直な面方向の透気抵抗度Ｒｐが１００秒以下であって、厚み方向の透気抵抗度Ｒｔが前記面方向の透気抵抗度Ｒｐよりも高いセパレータと、
を含むセルを構築する工程；
前記構築されたセルを電池ケースに収容する工程；
正極電位が、混入が予想される金属異物の酸化電位以上、かつ、負極電位が、混入が予想される金属異物の還元電位以上となる充電状態に、前記セルの容量の０．０１％〜０．５％まで１時間以上かけて充電し、該充電状態を維持する微小充電工程；および、
初回コンディショニング充電を行う工程、
を包含する、二次電池の製造方法。
【請求項７】
前記セパレータとして、
多孔質樹脂からなる層と、
導電性材料または絶縁性材料のいずれかで形成され、厚み方向に対して垂直な面方向の透気抵抗度Ｒｐが１００秒未満である拡散層と、
が積層された少なくとも２層以上の多層構造を有するセパレータを用いてセルを構築する、請求項６に記載の二次電池の製造方法。
【請求項８】
前記拡散層は、多孔質体、不織布および織布からなる群から選択される１種または２種以上により構成される、請求項６または７に記載の二次電池の製造方法。
【請求項９】
前記拡散層は導電性材料から構成され、
前記電池ケースには、少なくとも前記微小充電工程の間、前記拡散層と前記負極とを電気的に接続可能とする機構が備えられており、
前記微小充電工程において、前記拡散層と前記負極とを電気的に接続した状態で前記充電を行う、請求項６〜８のいずれか１項に記載の二次電池の製造方法。
【請求項１０】
前記微小充電工程を定電流定電圧充電により行い、前記充電状態を５時間以上２０時間以下の時間維持する、請求項６〜９のいずれか１項に記載の二次電池の製造方法。
【請求項１１】
初回コンディショニング充電工程の後、更に、
該充電されたセルの電圧降下量を計測する自己放電検査工程を含み、
前記自己放電検査工程を１２時間以内で行う、請求項６〜１０のいずれか１項に記載の二次電池の製造方法。
【手続補正２】
【補正対象書類名】明細書
【補正対象項目名】００３７
【補正方法】変更
【補正の内容】
【００３７】
ｄ＝ｔ×ｎ    ・・・（１）
Ｒｐ＝Ｘ×ｔ／Ｔ×Ｓ／（πｄ２／４）    ・・・（２）
ここで、試験体２０２Ａを用意するにあたり、セパレータの厚みｔは、当該セパレータの実際の電池内での厚みに一致するよう、例えば、測定用治具２０４Ａによる拘束圧を制御するなどして調整すると良い。
なお、面方向とは、厚み方向に対して垂直な面内の方向であれば何れの方向であっても良く、面内の特定の方向（たとえば、幅方向、長手方向等の特定の方向）に限定されない。また、固定治具２０４Ａ、アタッチメント２０４Ｂおよび内筒２０６Ａの合計の重量が所定の重量となるよう各部材の素材、寸法および形状等が調整されていると良い。
なお、パレータの面方向の透気抵抗度Ｒｐの測定の手法は、厚み方向の透気度Ｒｔに対応した面方向の透気抵抗度Ｒｐを求めることができれば、上記の例に制限されることがないのは言うまでもない。
【手続補正３】
【補正対象書類名】明細書
【補正対象項目名】００４９
【補正方法】変更
【補正の内容】
【００４９】
図２は、ここに開示される二次電池の製造方法の一実施形態を示すフロー図である。この図２に示されるように、本発明の方法は、以下の工程（Ｓ１０）〜（Ｓ４０）を包含することを特徴としている。
（Ｓ１０）正極と、負極と、厚み方向に対して垂直な面方向の透気抵抗度Ｒｐが１００秒以下であって、厚み方向の透気抵抗度Ｒｔが前記面方向の透気抵抗度Ｒｐよりも高いセパレータと、を含むセルを構築する工程。
（Ｓ２０）上記工程（Ｓ１０）で構築されたセルを電池ケースに収容する工程。
（Ｓ３０）正極電位が混入の予想される金属異物の酸化電位以上、かつ、負極電位が混入の予想される金属異物の還元電位以上となる充電状態に、セルの容量の０．０１％〜０．５％まで１時間以上かけて充電し、該充電状態を維持する微小充電工程。
（Ｓ４０）初回コンディショニング充電を行う工程。
【手続補正４】
【補正対象書類名】明細書
【補正対象項目名】００８４
【補正方法】変更
【補正の内容】
【００８４】
正極活物質層は、上記の正極活物質の他、必要に応じて導電材、結着剤等を含有し得る。導電材としては、例えば、カーボンブラック（例えばアセチレンブラック、ファーネスブラック、ケッチェンブラック）、グラファイト粉末等のカーボン材料を好ましく用いることができる。これらのうち一種または二種以上を併用してもよい。結着剤としては、水に溶解または分散するポリマー材料を好ましく採用することができる。水に溶解する（水溶性の）ポリマー材料としては、カルボキシメチルセルロース（ＣＭＣ）、メチルセルロース（ＭＣ）、酢酸フタル酸セルロース（ＣＡＰ）、ヒドロキシプロピルメチルセルロース（ＨＰＭＣ）等のセルロース系ポリマー；ポリビニルアルコール（ＰＶＡ）；等が例示される。また、水に分散する（水分散性の）ポリマー材料としては、ポリエチレン（ＰＥ）、ポリプロピレン（ＰＰ）等のビニル系重合体；ポリエチレンオキサイド（ＰＥＯ）；ポリテトラフルオロエチレン（ＰＴＦＥ）、テトラフルオロエチレン−パーフルオロアルキルビニルエーテル共重含体（ＰＦＡ）等のフッ素系樹脂；酢酸ビニル共重合体；スチレンブタジエンゴム（ＳＢＲ）等のゴム類等が例示される。なお、結着剤については水系のものに限定されることなく、ポリフッ化ビニリデン（ＰＶＤＦ）等の溶剤系バインダを用いることもできる。